(57)【特許請求の範囲】
【請求項１】
手のひらを覆う手のひら部（１２）と、この側方にて親指を先端まで覆う親指部（１３）と、手のひら部（１２）から上方へ延出して親指以外の４指を先端まで覆う４指部（１４）とを備え、
手のひら部（１２）には、手のひらを押しつけることにより手のひらへ付着する付着部（１５）を備えるとともに、
この付着部（１５）は、手の上下方向並びに幅方向における中央部もしくは中間部、もしくは手のひらの中央部となる位置に１点だけで設けられ、
手へ取付けられたときは、手のひら部（１２）が付着部（１５）の１点だけで手のひら（２）へ取付けられ、親指部（１３）及び４指部（１４）、並びに付着部（１５）より下方の手のひら部（１２）は固定されず、
グリップ時に、各指が親指部（１３）及び４指部（１４）の各表面上を滑り可能になっていることを特徴とするハンドカバー。
【請求項２】
手を位置決めするガイド（１１）が設けられていることを特徴とする請求項１のハンドカバー。
【請求項３】
付着部（１５）は、両面テープで構成されたことを特徴とする請求項１又は２のハンドカバー。
【請求項４】
親指部（１３）は、４指部（１４）よりも側方へ張り出し、親指部（１３）と４指部（１４）の各側縁部は階段状に変化することにより、４指部（１４）と親指部（１３）の間に凹入部（１６）が設けられていることを特徴とする請求項３のハンドカバー。
【請求項５】
親指部（１３）は開いた状態の親指の先端よりも上方かつ側方へ延出していることを特徴とする請求項４のハンドカバー。
【発明の詳細な説明】
【技術分野】
【０００１】
この発明は電車の吊り革などのグリップを把持するときに、手の内側にてグリップを覆うことにより、グリップから手への汚染を防止するハンドカバーに関する。
【背景技術】
【０００２】
このようなハンドカバーは公知である（特許文献１参照）。これを図９及び図１０に示す。図９に示すように、このハンドカバー１００は手のひらに納まるサイズで略方形のシート状をなし、手１へ取付けられて使用される。手すり等のグリップ９（図１０参照）を把持するとき、手１とグリップ９の間に介在し、手のひらをグリップ９へ接触させず、グリップ９の汚れが手１へ付着しないように手のひらを保護する。
ハンドカバー１００の中指５及び薬指６（以下、中指等とする）が重なる部分には縫合されたリング１１０が設けられ、これに中指等を差し込むことにより、ハンドカバー１００が手１へ取付けられる。この状態でグリップ９を握ると、図１０に示すように、ハンドカバー１００がグリップ９の外周面に巻回してグリップを覆い、グリップ９と手のひらの間に介在する。
【先行技術文献】
【特許文献】
【０００３】
【特許文献１】特開２０１８−１５０６６２号公報
【発明の概要】
【発明が解決しようとする課題】
【０００４】
ハンドカバーは、グリップを握るときだけ装着することが求められる部材である。例えば、電車やバス等の吊り輪をグリップとするとき、乗車時だけ素早く手に装着してグリップを握り、グリップに付着した細菌等の汚れが手のひらへ付着することを回避する。逆に降車時には素早く取り外して廃棄することにより、ハンドカバーから手への汚染を防止することが必要になる。このためには、迅速かつ容易に脱着できるようにすることが求められる。
しかし、上記ハンドカバー１００は、リング１１０へ中指等を差し込むことにより装着するため、装着及び取り外しに比較的手間を要し、迅速な脱着を実現できない。しかも、取り外すときはグリップを覆っていた面（表面）に接触しないようにして中指等をリング１１０から抜かなければならないので慎重に作業することが要求された。
また、製造時にはシート状をなすハンドカバーの本体部へリング１１０を取付けるので、製造にも手間を要し、より容易に製造することが求められる。
【０００５】
なお、手のひらをグリップと接触させないようにする目的では手袋の使用も考えられる。しかし、手袋は上記ハンドカバー１００以上に脱着に手間を要し、手袋を外すときには手袋の表面に付着した汚れが接触し易いので、グリップの汚れから手を保護する目的だけの使用には不適である。
【０００６】
さらに、ハンドカバー１００を介してグリップ９を握るときは、図１０の丸囲み拡大部に示すように、ハンドカバー１００は手のひらの内側にてグリップ９の外周面に沿うように曲げられて、グリップ９の外周面へ押しつけられるが、このとき、手のひらとグリップ９の外周面との間にしわ１５０が発生しやすい。しわの発生はグリップ時における不快感を生じる。
【０００７】
このしわ１５０は、ハンドカバー１００の両端を中指等と親指で固定した状態でハンドカバー１００を手のひらに沿うように湾曲することによって生じる。
すなわち、ハンドカバー１００における中指等側の先端側を上端１６０、親指側を下端１７０とすれば、グリップ９の把持に先立って、まず、ハンドカバー１００を手のひらに沿うように湾曲させるが、このとき上端１６０側を中指等に対してリング１１０により手へ固定し、下端１７０を親指３の腹３ｂにて固定する。
【０００８】
この状態で親指３を中指等へ接近させるように曲げると、ハンドカバー１００は、上端１６０側と下端１７０が中指等と親指３によって固定されているため、手のひらに沿うように湾曲する。そこでこの湾曲した凹部内へグリップ９を入れ、中指等及び親指でグリップ９の外周を把持すると、上端１６０側はリング１１０の部分である上固定点１２０でグリップ９の外周へ押しつけられ、周方向への移動が不能に固定される。また、下端１７０側は腹３ｂにより下固定点１３０にてグリップ９の外周へ押しつけられ、周方向への移動が不能に固定される。
【０００９】
ところが、上固定点１２０と下固定点１３０間におけるグリップ９外周の周方向長さ（Ｘとする）よりも、これに対応するハンドカバー１００の湾曲部の長さ（Ｙとする）が長くなっている（Ｘ＜Ｙ）。しかも、上端１６０側はリング１１０により中指等へ固定され、下端１７０が親指３の腹３ｂにて固定されているため、上端１６０や下端１７０を指に対して滑らせて長さＹをＸに近似するよう縮小させることができない。
このため、中指等と親指３でグリップ９の周囲を把持すると、上固定点１２０と下固定点１３０間にて、ハンドカバー１００はしわ１５０を発生させることになる。
【００１０】
また、ハンドカバー１００が手のひらサイズであり、各指がハンドカバー１００の外側へ延出している。このため、親指と中指等を丸めてグリップ９の全円周を把持するような場合には、各指の先端側がハンドカバー１００で覆われず、グリップ９の外周へ直接接触してしまう場合がある。したがって手のひらだけでなく、各指先を含む手１の内側でグリップ９の外周に沿う部分（把持部）全体を覆うことが求められる。
但し、把持部全体を覆うようにしても、側縁部１４０をいたずらに外側方へ大きく張り出させると、この部分がグリップ時に大きくしわを生じさせ、外観を損なうこともある。したがって、側縁部１４０の形状も工夫が必要になる。
【課題を解決するための手段】
【００１１】
上記課題を解決するため本願発明に係るハンドカバー（１０）は、手のひらを覆う手のひら部（１２）と、この側方にて親指を先端まで覆う親指部（１３）と、手のひら部（１２）から上方へ延出して親指以外の４指を先端まで覆う４指部（１４）とを備え、
手のひら部（１２）には、手のひらを押しつけることにより手のひらへ付着する付着部（１５）を備えるとともに、
この付着部（１５）は、手の上下方向並びに幅方向における中央部もしくは中間部、もしくは手のひらの中央部となる位置に１点だけで設けられ、
手へ取付けられたときは、手のひら部（１２）が付着部（１５）の１点だけで手のひら（２）へ取付けられ、親指部（１３）及び４指部（１４）、並びに付着部（１５）より下方の手のひら部（１２）は固定されず、
グリップ時に、各指が親指部（１３）及び４指部（１４）の各表面上を滑り可能になっていることを特徴とする。
【００１２】
このようにすると、手をハンドカバーへ押しつけるだけで、付着部が手のひらへ付着するため、ハンドカバーを手へ簡単に取付けできる。しかも手をグリップへ触れさせずに素早くグリップを握ることができる。
また、ハンドカバーを手のひらから引き剥がすだけで、手のひらから取り外して廃棄できる。したがって、手をグリップへ触れさせずに脱着が容易かつ迅速になる。
【００１３】
手にハンドカバーを装着した状態でグリップを握ると、４指で４指部をグリップの上側に巻き付け、親指で親指部を折り曲げてグリップの下部へ巻き付ける。これによりグリップ時の手とグリップの間にハンドカバーを介在させ、グリップに対して手を覆うことができる。しかも、親指及び４指は先端まで親指部により覆われるので、各指もグリップと接触しないように覆われる。
【００１４】
さらに、このグリップ時には、手に対するハンドカバーの固定部が付着部だけであり、ここでハンドカバーはグリップへ押しつけられ、グリップに対しても固定される。一方、付着部より上方の４指部は表面と４指の間で滑ることができ、かつ、付着部より下方の親指部も表面と親指の間で滑ることができるため、グリップの外周面に沿う部分の長さを、対応するグリップの外周面における周方向長さと同程度にすることができ、付着部の上方及び下方にてしわの発生を少なくする。このため、装着感を向上させることができる。
【００１５】
また、ハンドカバーに手のガイド（１１）を設けると、ハンドカバーに対して手を位置決めでき、付着部（１５）を手のひらの所定位置へ確実に取付けできる。
このような付着部は、両面テープなどで簡単に構成することができる。
【００１６】
さらに、親指部（１３）を４指部（１４）よりも側方へ張り出させ、親指部（１３）と４指部（１４）の各側縁部を階段状に変化させて、４指部（１４）と親指部（１３）の間に凹入部（１６）を設けることにより、グリップ時において、親指部（１３）と４指部（１４）との間におけるしわの発生が抑制される。
また、親指部（１３）を開いた状態の親指の先端よりも上方かつ側方へ延出させると、親指部（１３）を十分に大きくし、グリップ時に回動する親指をグリップに対して確実に覆う。
【発明の効果】
【００１７】
ハンドカバーは、手のひらへ付着する付着部を備えるので、手のひらを手のひら部へ押しつけるだけで、付着部により手のひらへ付着される。逆にハンドカバーを引っ張ると手から簡単に引き剥がすことができる。したがって脱着が迅速かつ容易になる。
手にハンドカバーを装着した状態でグリップを握ると、４指で４指部をグリップの上側に巻き付け、親指で親指部を折り曲げてグリップの下部へ巻き付ける。これによりグリップ時の手とグリップの間にハンドカバーを介在させ、グリップに対して手を覆うことができる。しかも、親指及び４指は先端まで親指部により覆われるので、各指もグリップと接触しないように覆われ、グリップ時における手全体をグリップに接触しないように被うことができる。
【００１８】
また、手のひらによる固定部が付着部の１点だけであり、付着部より上方の４指部は指に対して固定されず、４指部の表面に４指の各指を滑らせることができる。また、付着部より下方の親指部も表面と親指の間で滑ることができる。このためグリップの外周面に沿う部分の長さを、対応するグリップの外周面における周方向長さと同程度にすることができ、付着部の上方及び下方にてしわの発生を少なくすることができ、装着感を向上させることができる。
【００１９】
さらに、ハンドカバーに手のガイドを設けることにより、ハンドカバーに対して手を位置決めでき、付着部を手のひらの所定位置へ確実に取付けできる。
しかも、このような付着部は、両面テープなどで簡単に構成することができる。
【００２０】
また、親指部を４指部よりも側方へ張り出させ、親指部と４指部の各側縁部を階段状に変化させ、４指部と親指部の間に凹入部を設けることにより、グリップ時において親指部と４指部との間におけるしわの発生を抑制できる。
【００２１】
さらに、親指部を開いた状態の親指の先端よりも上方かつ側方へ延出させると、親指部を十分に大きくし、グリップ時に親指を回動させても、親指部にて親指をグリップに対して確実に覆うことができる。
【図面の簡単な説明】
【００２２】
【図１】右手用のハンドカバーの平面図
【図２】手のひら側を上に向けて示す右手の平面図
【図３】ハンドカバーの手に対する取付けを示す展開斜視図
【図４】手に装着したハンドカバーをグリップに重ねた状態を示す図
【図５】４指部をグリップの上側に巻回させた状態を示す図
【図６】手のひら部及び親指部をグリップの下側に巻回させた状態を示す図
【図７】ハンドカバーでグリップを巻回した使用状態を示す図
【図８】折りたたみ廃棄を説明する図
【図９】特許文献１におけるハンドカバーの手に対する装着を示す図３と同様の図
【図１０】特許文献１のハンドカバーにおけるグリップ時のしわ発生状態を示す図
【発明を実施するための形態】
【００２３】
図１は、右手用のハンドカバー１０の平面図である。なお、左手用については説明を省略するが、右手用のハンドカバーと対称に構成することができる。
ハンドカバー１０は、ハンドカバー１０を重ねることができる大きさに形成されたシート状をなす比較的柔軟な部材である。不織布や織布等の通気性のある布や、ポリエチレンやポリ塩化ビニールなどの適宜な合成樹脂性の非通気性フィルム等よりなり、グリップ９に巻き付けることができる程度の柔軟性を有すれば、種々な材料が利用可能である。
【００２４】
ハンドカバー１０には、手の概略輪郭形状をなすガイドライン１１が印刷等で表示されている。このハンドカバー１０へ手１を重ねることで、ハンドカバー１０に対する手１の位置決めが容易になる。ガイドライン１１は本願発明におけるガイドの一例である。
なお、ハンドカバー１０の両面のうち、手のひら２に合わせる面を裏面、反対側のグリップ９へ重ねる面を表面ということにする。図１は裏面を示している。
【００２５】
ハンドカバー１０は、手１よりも若干大きく形成され、手のひら２を覆う手のひら部１２と、これから斜めに突出して開いた状態の親指３を覆う親指部１３と、手のひら部１２から上方へ突出する親指以外の４指を覆う４指部１４とを備えるとともに、手のひら部１２には、手のひら２を押しつけることにより手のひら２へ付着する付着部１５を備える。
【００２６】
このような付着部１５は、両面テープなどの接着剤もしくは粘着剤で構成することができる（以下、粘着剤並びに粘着の例を示す）。図１の丸囲みした拡大断面を示すように、付着部１５は、剥離紙１５ａと粘着剤１５ｂで構成されている。粘着層１５ｂは、一面が手のひら２の裏面であって、上縁部のうち中指５の付け根近傍に取付けられている。上縁部は、４指の各付け根部分である。中指５の付け根部分は、上縁部の幅方向中央部である。また中指５の先端から手首８までの上下方向における中間部でもある。
【００２７】
粘着層１５ｂの他面は、剥離紙１５ａを剥がして手のひら２へ粘着される。粘着層１５ｂは、皮膚へ直接貼り付けられる絆創膏のような、皮膚に刺激の少ない生体用粘着剤が適している。但し、生体用粘着剤に限らず、種々な用途の粘着剤や接着剤が可能である。但し、付着部１５は粘着等により手のひら２へ付着するものばかりでなく、例えば、吸盤などの吸着によるものでもよく、手のひら２を押しつけることにより付着できるものであればよい。
【００２８】
４指部１４は、４指を密に隣り合わせにした状態の輪郭よりも大きく形成され、４指の先端まで覆い、４指部上縁１４ａは４指の先端に沿うアール状をなす。４指部１４の側縁は、指の長さ方向に沿って上下方向の略直線状をなす。
【００２９】
親指部１３は、親指３の先端まで覆い、上縁が４指部１４の側縁のうち親指部１３側の４指部親指側側縁１４ｂよりも外側方へ張り出す親指部上縁１３ａをなす。４指部親指側側縁１４ｂから張り出す親指部上縁１３ａの張り出し量はａである。
親指部上縁１３ａは親指３の先端よりも上に位置し、その高さはｂである。この高さｂは、親指３を手のひら２の内側（中指５の付け根近傍）へ回動させるときの回動軌跡ｃ（図２参照）よりも親指部上縁１３ａが上方に位置するように設定され、親指３を回動させても常時親指３を覆うことができるようになっている。
【００３０】
４指部親指側側縁１４ｂから親指部上縁１３ａへ階段状に変化し、親指部上縁１３ａと４指部親指側側縁１４ｂの間に凹入部１６が形成されている。
親指部１３の側縁は上下方向の略直線状をなす親指部側縁１３ｂになっている。親指部側縁１３ｂは親指３の先端よりも外側へ張り出す位置に設けられ、その上端は４指部親指側側縁１４ｂに連続し、下端はハンドカバー１０の下端１９に連続する。親指部側縁１３ｂと下端１９の連続部が親指下側コーナー１８をなす。
【００３１】
親指部１３のうち、親指部側縁１３ｂと親指下側コーナー１８及び下端１９に囲まれ、かつ親指３の下方となる部分は、親指部下部１７をなす。親指部下部１７は親指下側コーナー１８を直角の頂部とする略直角３角形状の部分であり、親指３によりグリップ９へ巻き付けられる部分である。
【００３２】
図２は、手のひら２側を上に向けて示す右手の平面図である。
手１は、手のひら２と、その側部から斜めに側方へ延出する親指３（開いた状態）と、手のひら２の上部（指の付け根）から上方へ延出する４指を有する。４指は、人差し指４、中指５、薬指６及び小指７からなる。これらは親指３以外の４指をなす。手のひら２の下部は手首８をなす。
【００３３】
親指３と人差し指４の付け根側はＶ字状の股部３ａになっている（親指３が開いた状態）。
なお、親指３はグリップ時に中指５の付け根側へ重なるように回動させることができる。ｃは親指３の回動時における先端の軌跡である。
【００３４】
図３はハンドカバー１０の取付けを示す展開斜視図である。
ハンドカバー１０を手のひら２への取付けるには、裏面を上に向けたハンドカバー１０を平坦面上に置く。裏面には付着部１５が設けられている。そこで、剥離紙１５ａを取り除き、この状態で手のひら２を下向きにして、手１をハンドカバー１０の上に重ね、ガイドライン１１（図１参照）内に入れて手のひら２へ押しつける。
【００３５】
すると、粘着層１５ｂが手のひら２の上縁部のうち、中指５の付け根近傍に粘着し、ハンドカバー１０は付着部１５の１点だけで手１へ取付けられる。付着部１５が付着する部位は、手１の上下方向並びに幅方向における中央部もしくは中間部である。
これにより、ハンドカバー１０は手１と一緒になって容易に取り扱い可能になる。
【００３６】
次に、ハンドカバー１０を介してグリップ９を握る手順を説明する。
まず、図３により手１へ取付けた状態のハンドカバー１０を、図４に示すように、グリップ９へ重ねる。図４のＡは下部９ａを上に重ねたハンドカバー１０の表面側を示す図（この状態を使用状態の正面図ということにする）、Ｂは拡大側面図である。なお、この段階のハンドカバー１０は親指部１３や４指部１４を曲げる前であり、平面図（図１）の形状と同じである。Ｂは拡大側面図である。
【００３７】
Ａに示すように、グリップ９は電車やバスの吊り輪であり、グリップ９は輪状をなし、その下部９ａがハンドカバー１０の中央部へ重なり、付着部１５の上を通り、かつ凹入部１６の上を通っている。また、４指部１４が上方から下部９ａの上に重なるようなっている。
Ｂはグリップ９に対してハンドカバー１０をまだ接触させずに離した状態を示す。この状態で下部９ａにハンドカバー１０の手のひら部１２及び４指部１４が接触するように接近させる。その後、矢示ｄのように、４指部１４を穴９ｂ内へ折り曲げることができる。
【００３８】
なお、付着部１５は親指部上縁１３ａより下方にあり、かつ親指３の先端より下方に位置する。親指部１３は回動する親指３に押されて、下部９ａの反対側（付着部１５に対面する側の反対側）へ回り込み、下部９ａを挟んで手のひら部１２の上へ重なるようになっている。
【００３９】
図５は、４指部１４で下部９ａの上部を覆う過程を示す。Ａは正面図、Ｂは拡大側面図である。
Ａに示すように、４指部１４を穴９ｂに入れ、４指を下方へ折り曲げると、４指の各先端は４指部１４の裏面上を滑りながら移動し、４指部１４を曲げるので、４指部１４が下部９ａの上側を巻くように折り曲げられて、下部９ａの上に重なる。このとき下部９ａは付着部１５の上に重なり、４指のうち少なくとも中指５の先端も付着部１５の上に重なる。
【００４０】
下部９ａの上側に重なった４指部１４の先端側は、４指の先端より長く突出しているので、４指を覆って下部９ａと４指の間に介在し、４指を下部９ａ上の汚染と接触させず、細菌等が４指へ付着しないようにする。
４指部１４の折り曲げに際して、４指部上縁１４ａがアール状をなすので、下部９ａをスムーズに通過して曲がり、下部９ａの円形曲線に沿い外観が良好である。また、下部９ａの長さ方向における４指部１４の曲がり時におけるしわの発生が少なくなる。
【００４１】
しかも、凹入部１６を設けたことにより、４指部１４の折れ曲がりをさらに容易とし、かつ下部９ａの長さ方向における４指部１４の曲がり時におけるしわの発生がより少なくできる。
特に、グリップ９が吊り輪等でリング状などの曲線の場合に、長さ方向のしわが発生しやすいので、このような曲線状のグリップ９に使用する場合に好適となる。
【００４２】
Ｂは４指部１４を折り曲げた中指５の状態を示す図であり、下部９ａだけ断面にしてある。なお、中指５は例示であり、４指のうちの他の指も同様である。
この図に示すように、ハンドカバー１０は付着部１５で下部９ａへ押しつけられ、ハンドカバー１０が下部９ａ並びに手１に対して不動になる。この場所を中央固定点Ｆとする。
【００４３】
４指部１４は下部９ａの上側を巻くように折り曲げられて、下部９ａの上に重なる。また中指５等の４指の先端側でも４指部１４が下部９ａへ押しつけられ、この場所を上側固定点Ｆ１とする。４指部上縁１４ａは自由端になっている。
【００４４】
手１に対するハンドカバー１０の固定点は、中央固定点Ｆの１点のみになっているので、４指部１４を下部９ａへ巻き付けるとき、４指部１４の中央固定点Ｆより先端側は、中央固定点Ｆを起点にして曲がる。このとき先端側は、４指部１４の裏面上を中指５等の先端が滑るため、中指５等に対してずれることにより相対移動できる。したがって、４指部１４は中指５等に対して接触点をずらしながら滑り、下部９ａの曲面に沿って曲がり、最終的に、４指部１４の先端側は上側固定点Ｆ１で固定される。その結果、４指部１４は中央固定点Ｆと上側固定点Ｆ１の間で下部９ａの周方向面へ密に押しつけられ、この部分におけるしわの発生が抑制される。
【００４５】
図６は、４指部１４の手のひら部１２及び親指部１３で下部９ａの下部を覆う工程を示す。Ａは正面図、Ｂは拡大側面図である。なお、４指部１４側は省略してある。
Ａに示すように、手のひら部１２及び親指部１３が下部９ａから下方へ延出している状態（図４のＡ参照）で、親指３を手のひら２の上へ重なるように回動させる。
すると親指部１３が親指３により折り曲げられ、手のひら部１２及び親指部１３が下部９ａの下部を巻くように折り曲げる。
【００４６】
このとき略三角形状の親指部下部１７が下部９ａの上に重なる。親指３は親指部下部１７の上に重なり、同時に付着部１５の上にも重なっている。下部９ａの下部は、手のひら部１２及び親指部１３で巻かれているため、親指３から股部３ａ及び手のひら部１２の上部は、手のひら部１２及び親指部１３並びにその一部である親指部下部１７の介在により、下部９ａと接触しないように保護されている。
【００４７】
なお、手のひら２の下半部は、親指部下部１７が上方へめくれ上がるように折れ曲がっているため、手のひら部１２により覆われず、露出している。但し、この露出部分は下部９ａと接触するおそれがないので問題がない。
【００４８】
Ｂに示すように、親指部下部１７は、回動する親指３で親指部１３を下部９ａ側へ押すことにより。中央固定点Ｆを起点にして折れ曲がる。このとき、中央固定点Ｆから親指下側コーナー１８側の親指部１３は親指３の間で相対的にずれることができるので、親指３は親指部１３（親指部下部１７）を下部９ａに沿って曲げつつ親指部１３（親指部下部１７）の上を移動し、やがて下側固定点Ｆ２で親指部１３（親指部下部１７）を下部９ａへ押しつけて固定する。
【００４９】
したがって、中央固定点Ｆから下側固定点Ｆ２の間は下部９ａの周方向面へ密に押しつけられ、この部分におけるしわの発生が抑制される。親指部下部１７の下側固定点Ｆ２より親指下側コーナー１８側は自由端となっている。
なお、親指部１３は、親指部上縁１３ａの突出量ａ及びｂが親指３の先端より長く突出するように設けられているため（図１参照）、回動中も親指部下部１７から外れて露出することなく、下部９ａに対して確実に覆われる。
【００５０】
図７は、手のひら部１２で下部９ａの下部を覆った状態を示す。Ａは図５及び図６の各Ａを合わせて示す図、Ｂは図５及び図６の各Ｂを合わせて示す図である。
これらの図に示すように、下部９ａを手１で握ることにより、ハンドカバー１０は、４指部１４が下部９ａの上側を巻き、手のひら部１２及び親指部１３が下部９ａの上下を巻くことにより、下部９ａの周囲を巻いて、下部９ａと手１の間に介在し、手１を下部９ａに接触しないように覆うことができ、下部９ａ上に付着した汚染から手１を効果的に保護できる。
【００５１】
なお、この図では、先に４指部１４で覆い、その後手のひら部１２及び親指部１３で覆うことにより、４指部１４の上に親指部下部１７が重なっている。しかし逆にすることは自由であり、この場合は手のひら部１２及び親指部１３で覆うことを先にすればよい。
【００５２】
図８はハンドカバー１０の折りたたみ廃棄を説明する図であり、廃棄するためのハンドカバー１０を折りたたむ工程を示す。Ａは手１から取り外したハンドカバー１０を示す。裏面が上を向き、表面が下を向いている。また上下方向の長さをｅ、左右方向の幅をｆとする。また、このハンドカバー１０における付着部１５の若干下方を通る幅方向の仮想線を第１折り線Ｌ１とする。第１折り線Ｌ１は上下方向にて、略ｅ／２の点を通る。
【００５３】
ハンドカバー１０の廃棄に際してまずこの第１折り線Ｌ１に沿ってハンドカバー１０を山折りする。
Ｂはこの山折りの過程を示し、ハンドカバー１０は汚染されている可能性がある表面を内側にして上端の４指部上縁１４ａと下端１９が重なるように２つ折りする。このとき、付着部１５が外側に出る。
【００５４】
Ｃはこの２つ折りされた状態である。内側へ２つ折りされた表面は凹入部１６に臨む部分を除き露出していない。
そこで次に、第１折り線Ｌ１に直交し、幅方向で略ｆ／２の点を通る仮想線の第２折り線Ｌ２に沿って谷折りをする。                                                      
【００５５】
Ｄはこの２つ折りの過程を示し、付着部１５を含む裏面を内側にして折りたたむ。これにより付着部１５も２つ折りされ、第２折り線Ｌ２を挟む一部１５ｃと他部１５ｄが対面し、相互に接着する。このとき凹入部１６から露出していた表面の一部も内側へ閉じられる。
【００５６】
Ｅは２回の折りたたみによる最終状態を示す。
ハンドカバー１０は、この最終状態で４つ折りされたコンパクトなサイズになる。しかも、汚染されている可能性がある表面は内側へ折り込まれているため、汚染されているおそれのある表面に触わらずに取り扱うことができる。そのうえ、付着部１５によって折りたたまれた状態が開かないように固定されるので、このまま安全に廃棄可能になる。
【００５７】
なお、Ｃ及びＤにおいて、付着部１５を２つに折る例を説明したが、付着部１５は必ずしも２つに折る必要はなく、第２折り線Ｌ２と交差しない位置へ設けてもよい。この場合も、第２折り線Ｌ２に沿って付着部１５が内側になるように谷折りすることで、付着部１５が対面する付着部１５がない方の裏面へ接着するので、折りたたみ状態を開かないように維持できる。
【００５８】
次に、本実施形態の作用を説明する。
ハンドカバー１０を手１へ取付けるには、図３に示すように、手のひら２を手のひら部１２へ押しつけるだけで、付着部１５により手のひら２へ付着される。しかも、ガイドライン１１を設け、この内側に手１重ねることにより、手１をハンドカバー１０に対して容易に位置決めでき、付着部１５を手のひら２の所定位置へ取付けできる。
したがってハンドカバー１０の手１に対する装着が容易かつ迅速になり、乗車したとき直ちに吊り輪等のグリップを直接接触することなく握ることができ、姿勢を安定に保つことができる。
【００５９】
なお、本例における所定位置は、手のひら２上部で中指５の付け根部近傍である。この部分は、手１における上下方向及び幅方向の各中央部である。このようにすると、ハンドカバー１０を手１に対して、１ケ所だけの付着部１５で取付けるにもかかわらず、手１へバランスよく支持させることができる。
また、付着部１５は両面テープ等により容易に形成できる。このため、従来例のようにリング部を縫製等で形成する必要がなく、製造が容易になる。
【００６０】
ハンドカバー１０は、これを装着した手１で下部９ａを握ることにより、手のひら部１２、親指部１３及び４指部１４が下部９ａを巻回し、手１と下部９ａの間に介在するので、下部９ａに付着した細菌等の汚れが手に付着することを回避し、手１を汚染から保護することができる。
【００６１】
このとき、開いた状態の親指３を覆う親指部１３を備え、この親指部１３をａ及びｂなる突出量を備えた親指３より大きなものとすることにより、グリップ時には親指３が親指部１３及び手のひら部１２の下部を下部９ａへ巻き付ける。するとハンドカバー１０を手のひら２及び親指３と下部９ａの間に介在させることができ、手のひら２及び親指３を確実に覆うことができる。
【００６２】
特に、親指部１３の大きさは、親指３の回動軌跡ｃを含めるように大きく設定されるので、回動中に親指３が親指部１３から外れて露出するようなことがない。
このため下部９ａの手のひら２と反対側へ出ても親指部１３によりカバーされ、下部９ａへ接触しやすい親指３側の保護を確実にすることができる。
【００６３】
また、図５に示すように、４指部１４も４指の先端よりも延出するよう大きく形成されるので、下部９ａを握ったとき、４指部１４で４指を確実に覆うことができる。なお、手のひら２の下部９ａに重なる部分は、親指部１３と４指部１４に連続する手のひら部１２により覆われ、下部９ａへ接触しないようにされている。
【００６４】
４指部１４の先端は、アール形状の４指部上縁１４ａになっているので、４指部上縁１４ａ側を穴９ｂ内へ容易に入れて折り曲げでき、４指部上縁１４ａを穴９ｂの曲線形状に沿わせることができるので、外観を良好にできる。
【００６５】
また、親指部１３と４指部１４の間に凹入部１６を設け、４指部１４を親指部１３側の下方部よりも幅狭にすることで、穴９ｂの長さ方向におけるしわの発生を抑制し、外観を良好にできる。特に、しわが発生しやすい、吊り輪等の輪状をなすグリップ対してしわの発生を抑制できるので、このようなグリップのカバーに好適なものとなる。
【００６６】
さらに、ハンドカバー１０は付着部１５により手のひら２の上部で中指５の付け根部近傍の中央部に固定される。固定部は付着部１５による中央固定点Ｆの１点だけであり、中央固定点Ｆより上方の４指部１４側及び下方の手のひら部１２は固定されず、４指や手のひら２に対して自由に滑ることができる。
そこで、グリップするとき、４指部１４は中央固定点Ｆを起点にして下部９ａに沿うように折れ曲がるが、４指部上縁１４ａ側は中指５（４指）に対して滑り、最終的な中指５の先端部による上側固定点Ｆ１との間の部分は、下部９ａの周方向面に密接してしわを生じにくくなる。
【００６７】
同様に、図６に示すように、手のひら部１２及び親指部１３側も、中央固定点Ｆを起点にして下部９ａに沿うように折れ曲がり、下部側（下端１９側）側は親指３に対して滑り、最終的な親指３の先端部による下側固定点Ｆ２との間の部分は、下部９ａの周方向面に密接してしわを生じにくくなる。
【００６８】
したがって、図７に示すように、上側固定点Ｆ１から下側固定点Ｆ２の間で、ハンドカバー１０は下部９ａに密接してしわを生じにくくなり、グリップ時における不快感を生じさせず、下部９ａを快適に握ることができ、装着感を向上させることができる。特に、しわの発生が多くあった４指部１４側にてしわの発生を効果的に抑制できる。
【００６９】
降車時には、ハンドカバー１０を手のひら２から引きはがすだけで、手のひら２から取り外すして廃棄できる。したがって、脱着が迅速になり、グリップ９に触れずに素早くグリップ９を握ることができ、かつ汚染されたおそれのあるハンドカバー１０を素早く廃棄できる。
すなわちハンドカバー１０を取り外すときは、ハンドカバー１０の縁部、例えば、下端１９の端部を持って、手のひら２から離す方向に引っ張ると、ハンドカバー１０は付着部１５が剥がされて容易に手のひら２から取り外される。このため、手袋を取り外すときのような手間をなくして容易かつ迅速に取り外すことができる。しかも取り外すときに、グリップと接触していた面へ触らないようにすることができるので、取り外し時における汚染を防ぐことができる。
【００７０】
取り外したハンドカバー１０は、図８に示すように、グリップ９に接触していた表面が内れにより汚染の可能性がある表面は内側に閉じられ、付着部１５が表側に出る。
次に、付着部１５が内側になるようにして、第１折り線Ｌ１と直交する第２折り線Ｌ２に沿ってさらに２つ折りする。これにより、内側になった付着部１５が２つに折られて対面する２面を接着し、折りたたまれた状態が開かないように維持される。
その結果、汚染の可能性がある表面と接触せずに取り扱い可能になるとともに、ハンドカバー１０の全体の大きさを当初の大きさの１／４と小さくするので、簡単に廃棄でき、かつ廃棄先の汚染拡大を防ぐことができる。
【００７１】
なお、本願発明は上記の各実施例に限定されるものではなく、発明の原理内において種々に変形や応用が可能である。
例えば、グリップは電車やバス等の吊り輪で、リング状等の曲線をなすものに限定されず、手すり等の直線的なものでもよい。
また、ガイドライン１１は位置決め用のものであるから、手の概略輪郭形状だけでなく、例えば、三角や十文字などの単純な位置合わせマークのようなものでもよい。
さらに、付着部１５の位置は手のひら２の中央部でもよい。この場合は固定部が親指３の付け根により近くなるので、親指部１３の曲げ量を少なくすることができる。
【符号の説明】
【００７２】
１：手  ２：手のひら  ３：親指  ５：中指  ９：グリップ  １０：ハンドカバー
１１：ガイドライン  １２：手のひら部  １３：親指部  １４：４指部  １５：付着部
１６：凹入部  １７：親指部下部  １８：親指下側コーナー  １９：下端  Ｆ：中央固定点  Ｆ１：上側固定点  Ｆ２：下側固定点
【要約】
【課題】手に対して容易かつ迅速に脱着でき、かつグリップを握ったとき、手をグリップに接触しないよう完全に覆うとともに、手とグリップの間におけるしわの発生を抑制する。
【解決手段】ハンドカバー１０は、シート状をなし、手のひらを覆う手のひら部１２と、これから斜めに突出する親指を覆う親指部１３と、手のひら部１２から上方へ突出する親指以外の４指を覆う４指部１４とを備える。ハンドカバー１０の全体には手の概略輪郭形状をなすガイドライン１１が設けられるとともに、手のひら部１２には、手を押しつけることにより手のひらの上部で中指の付け根部近傍部分へ付着する付着部１５を備える。
【選択図】  図１【図１】
0006842597.tif 000002
【図２】
0006842597.tif 000003
【図３】
0006842597.tif 000004
【図４】
0006842597.tif 000005
【図５】
0006842597.tif 000006
【図６】
0006842597.tif 000007
【図７】
0006842597.tif 000008
【図８】
0006842597.tif 000009
【図９】
0006842597.tif 000010
【図１０】
0006842597.tif 000011